(57)【要約】      （修正有）【課題】Ｙシャツ等の衣料のボタンにつけられて当該衣料の通気性を向上することができる衣料用補助具を提供する。【解決手段】ボタン付衣料のボタンと当該ボタンに対応して形成されたボタン孔とに取り付けられる衣料用補助具１０は、ストリップ形状を有する本体と、当該本体の一端近傍に形成されて当該衣料のボタンに係合する孔と、前記本体の他端近傍に設けられて前記ボタンと同じまたは類似の形状を有し且つ前記ボタン孔に係合する補助ボタン１６とから形成する。使用時には、Ｙシャツの第２ボタン孔２５と補助ボタン１６を係合させ、Ｙシャツの上前２８と下前３０の間に空間を形成する。【選択図】図３
0003180262.tif 000002
【実用新案登録請求の範囲】
【請求項１】
ボタン付衣料のボタンと当該ボタンに対応して形成されたボタン孔とに取り付けられる衣料用補助具であって、所定形状を有する本体と、当該本体に形成されて当該衣料のボタンに係合する孔と、前記本体の他の部位に設けられて前記ボタンと同じまたは類似の形状を有し且つ前記ボタン孔に係合する補助ボタンとからなることを特徴とする衣料用補助具。
【請求項２】
前記本体はストリップ状を呈し、前記孔は前記ストリップ状本体の一端近傍に形成され、前記補助ボタンは前記ストリップ状本体の他端近傍に設けられることを特徴とする請求項１記載の衣料用補助具。
【請求項３】
前記補助ボタンが前記に本体に複数設けられていることを特徴とする請求項１または２記載の衣料用補助具。
【請求項４】
前記本体が形状記憶材料から作られていることを特徴とする請求項１、２または３記載の衣料用補助具。
【請求項５】
前記本体が円環状を呈していることを特徴とする請求項１、３または４記載の衣料用補助具。
【請求項６】
前記本体に突起物を設けたことを特徴とする請求項１〜５のいずれかに記載の衣料用補助具。
【請求項７】
前記複数の補助ボタン同士の間隔が前記ボタン付衣料の複数のボタン同士の間隔に等しいことを特徴とする請求項３、４、５または６記載の衣料用補助具。
【考案の詳細な説明】
【技術分野】
【０００１】
本考案は衣料の通気性を向上するための補助具に関し、特にＹシャツ等の衣料のボタンにつけられて当該衣料の通気性を向上することができる衣料用補助具に関する。
【背景技術】
【０００２】
近年、省エネルギー等の観点から、所謂クールビズと称される服装が市民権を得てきている。クールビズは、ネクタイをせずに、Ｙシャツの第１ボタンを外すというスタイルが一般的であるが、それだけでは涼しさを感ずることができない場合が多いので、着ていて涼しいＹシャツやジャケット等の提案が種々なされている。例えば、特許文献１には、首のまわりを冷やすことができる装具が提案されている。これは、保冷性のある材質を利用した装具を、衣類の襟の折り返しの内側に取り付けるというものである。
【０００３】
また、Ｙシャツの肩のヨーク部分をメッシュ素材にすることにより、Ｙシャツと当該Ｙシャツを着る人の体との間に空気の逃げ道を形成するという提案もされている（特許文献２）。このメッシュ素材はＹシャツと同質の柄、色合いの生地を細かい網目状に加工したものである。
【先行技術文献】
【特許文献】
【０００４】
【特許文献１】特開２００７−１１１２３６号公報
【特許文献２】実用新案登録第３０９０１９３号公報
【考案の概要】
【考案が解決しようとする課題】
【０００５】
前記特許文献１は、Ｙシャツ等の首まわりを冷たくするという提案であり、前記特許文献２はＹシャツ等の肩まわりの通気性を向上するという提案である。よって、上記において説明したクールビズ用の発明・考案はＹシャツ等の衣服のボタン部分（あるいは、ボタン近傍）の通気性を向上するものではない。  
【０００６】
本考案は上記の如き事情を鑑みてなされたものであって、Ｙシャツ等のボタン付きの衣料において、ボタン近傍の通気性を向上することができる衣料用補助具を提供することを目的としている。
【課題を解決するための手段】
【０００７】
本考案によれば、ボタン付衣料のボタンと当該ボタンに対応して形成されたボタン孔との間に取り付けられる衣料用補助具であって、所定形状を有する本体と、当該本体に形成されて当該衣料のボタンに係合する孔と、前記本体の他の部位に設けられて前記ボタンと同じまたは類似の形状を有し且つ前記ボタン孔に係合する補助ボタンとからなることを特徴とする衣料用補助具が提供される。
【０００８】
好ましくは、前記本体はストリップ（細長い片）状を呈している。また、好ましくは、前記孔は前記ストリップ状本体の一端近傍に形成され、前記補助ボタンは前記ストリップ状本体の他端近傍に設けられる。尚、前記補助ボタンは複数設けられてもよい。
【０００９】
前記衣料補助具が衣料に装着された際に、前記本体が通気性を確保できる形状を維持できるようにするために、前記本体の材質は形状記憶が可能な材質であってよい。あるいは、適切な補強材を本体に含有または付設してもよい。
【００１０】
前記本体はストリップ状ではなく円環状を呈してもよい。
【考案の効果】
【００１１】
本考案の衣料用補助具の孔は、Ｙシャツ等のボタン付衣料のボタンに係合する。前記衣料のボタン孔には、前記衣料補助具の補助ボタンが係合する。よって、Ｙシャツ等のボタン付衣料を着た場合、前記衣料用補助具の本体が前記ボタンと前記ボタン孔の間に位置することになる。前記本体により、前記ボタンと前記ボタン孔の間に通気部が形成されるので、前記衣料用補助具近傍においてボタン付衣料の通気性が向上する。衣料の通気性（冷却性）を向上する前記衣料用補助具の本体は衣料のボタンと補助ボタンとの間に延びているように見えるので、本考案の衣料用補助具をクーリングボタンｔｏボタンと称することもできる。
【図面の簡単な説明】
【００１２】
【図１】図１は本考案の第１実施例に係る衣料用補助具の上面図である。
【図２】図２は図１の衣料用補助具の本体がＵ字状に曲げられた場合の側面図である。
【図３】図３は図１の衣料用補助具がＹシャツの第２ボタンに取り付けられた状態を示す図である。
【図４】図４は図３のＡ部の拡大図である。
【図５】図５は図４の状態から本考案の衣料用補助具の補助ボタンがＹシャツの第２ボタン孔に係合し、Ｙシャツの第３ボタンが第３ボタン孔に係合した状態を示す図である。
【図６】図６は図５の状態のＹシャツの側面図である。
【図７】図７は第１実施例の変形例を示す図である。
【図８】図８は本考案の第２実施例を示す図である。
【図９】図９は本考案の第３実施例を示す図である。
【図１０】図１０は図６と同じような側面図であり、図９の衣料用補助具がＹシャツに取り付けられた状態を示す図である。
【図１１】図１１は第１実施例の変形例を示す斜視図である。
【考案を実施するための形態】
【００１３】
以下に本考案の衣料用補助具の第１実施例を図１〜図６に基づいて説明する。本実施例においては、衣料の例として男性用Ｙシャツを用いて説明をする。
【００１４】
図１に示されているように、衣料用補助具１０はストリップ状の本体１２を有する。本体１２は可撓性を有する材質からなる。本体１２の色は、衣料用補助具１０が使用されるＹシャツの色と同じである。前記本体１２の一端（図中、左端）近傍には孔１４が形成されている。孔１４はボタン孔である。孔１４は、衣料用補助具１０が使用される衣料（Ｙシャツ）に形成されているボタン孔と同じまたは類似の形状の孔である。前記本体１２の他端近傍には補助ボタン１６が設けられている。補助ボタン１６は本体１２に糸１８により縫い付けられている。補助ボタン１６は、衣料用補助具１０が使用されるＹシャツのボタンと同じまたは類似のボタンである。
【００１５】
図２は図１の衣料用補助具１０の本体１２がＵ字状に曲げられた状態を示している。本体１２は可撓性を有しているので、図２のような形状を呈することができる。尚、図２において補助ボタン１６と本体１２の間にある糸１８は省略されている。
【００１６】
図３には、図２の状態の衣料用補助具１０がＹシャツ２０の第２ボタンに取り付けられた状態が示されている。図３において、符号２１がＹシャツ２０の第１ボタンであり、符号２３が第３ボタンであり、符号２９が第４ボタンである。また、符号２４が第１ボタン２１に係合する第１ボタン孔であり、符号２６が第３ボタン２３に係合する第３ボタン孔である。符号２５は第２ボタン孔である。本実施例のＹシャツ２０は男性用であり、ボタン孔２４、２５、２６は上前２８に形成されており、ボタン２１、２３、２９は下前３０に取り付けられている。図３の破線で囲んだ部分Ａの拡大図が図４に示されている。図４から分かるように、本体１２は逆Ｕ字状でＹシャツ２０の第２ボタン２２に取り付けられる。衣料用補助具１０の補助ボタン１６がＹシャツ２０の表面から所定距離（例えば、１ｃｍ程度）のところに位置する。第２ボタン孔２５は当初Ｙシャツ２０の第２ボタン２２に係合するように作られているが、本考案の第１実施例にあっては、衣料用補助具１０の補助ボタン１６に係合することになる。第２ボタン２２と補助ボタン１６は同一形状であり、同一の材質からできている。
【００１７】
図５は第２ボタン孔２５に補助ボタン１６が係合した様子を示している。衣料用補助具１０の本体１２はＹシャツ２０の上前２８に隠れるので破線で示している。Ｙシャツの第３ボタン２３は第３ボタン孔２６に係合している。衣料用補助具１０の本体１２はＹシャツ２０の上前２８に隠れるので、Ｙシャツ２０を着ている人を正面から見る人には、衣料用補助具１０は見えない。
【００１８】
図６は図５の状態の側面図である。図６に示されているように、衣料用補助具１０はＵ字状を呈した状態でＹシャツ２０の上前２８と下前３０の間に位置する。第２ボタン２２は上前２８の下に位置するので、Ｙシャツを外からみると、第２ボタン２２は見えない。衣料用補助具１０によって、上前２８と下前３０との間に空間（間隙）３２が形成される。第３ボタン２３は第３ボタン孔２６に係合している。
【００１９】
補助ボタン１６と第２ボタン２２は同じまたは類似のボタンである（材質、色、形状が同じまたは類似）ので、図３のＹシャツ２０を着ている人を見た場合（ボタンを閉めた状態で）、衣料用補助具１０の存在はほとんど認識できない。
【００２０】
衣料用補助具１０の本体１２の材質は、Ｙシャツ２０の材質と同じでもよいし、異なってもよい。本体１２の材質がＹシャツ２０の材質と異なる場合、本体１２が図６に示すようなＵ字形状を維持するために、本体１２は例えば、形状記憶が可能な材質から作られる。あるいは、強度のある素材（樹脂、繊維、ファイバ等）等を本体１２に予め含有させてもよいし、本体１２に所定の弾性を付与するための材料を本体１２に含有させてもよい。また、本体１２を当初からＵ字状の部材として製造してもよい。
【００２１】
本体１２を当初からＵ字状の部材として製造する場合、本体１２は金具（金属）または樹脂で構成してもよい。その場合には、孔１４の部分をフック形状としてもよい。
【００２２】
本体１２の材質がＹシャツ２０の材質と同じ場合には、本体１２が図６に示すようなＵ字形状を必ずしも呈するとは言えないが、Ｙシャツの素材や着方によっては、あるいは、Ｙシャツを着る人の体形によっては、図６に示したような空間３２が上前２８と下前３０の間に形成される。また、本体１２の素材（Ｙシャツ２０の素材）は本来ある程度の強度及び弾性をしているので、図４のように本体１２が逆Ｕ字状に取り付けられると、本体１２が完全に潰される可能性は少ない。よって、いくらかの空隙がＹシャツの上前２８と下前３０の間に形成される。
【００２３】
尚、上前２８と下前３０の間に所定の隙間３２が必ず形成されるようにするために、図７に示すような突起３６を本体１２に設けてもよい。このようにすると、突起３６が本体１２の裏面に当接するので、突起３６の高さに相当する隙間３２が補助ボタン１６近傍に形成されることになる。
【００２４】
上記説明及び図面から分かるように、本考案の衣料用補助具１０をＹシャツ２０に装着してＹシャツ２０を着ると、第２ボタン２２近傍に通気用の隙間３２が形成されるので、Ｙシャツ２０の前面における通気性が向上する。また、衣料用補助具１０によって、Ｙシャツ２０内部で煙突効果による空気流が発生することも期待できるので、Ｙシャツ２０を着ている人にとって大きな清涼感を与えることができる。
【００２５】
Ｙシャツの前面における通気性が向上すると、今までにないタイプのクールビススタイルが可能になる。即ち、本考案の衣料用補助具１０をＹシャツ２０に装着すれば、第２ボタンン近傍の通気性が向上するので、たとえ第１ボタン２１を閉めたとしても、Ｙシャツ２０を着ている人は清涼感を感ずることができる。Ｙシャツ２０を着てネクタイを付けた場合、第２ボタン近傍の膨らみはネクタイによって隠されるので、見た目の不自然さはない。ネクタイの下では衣料用補助具１０によって通気が確保されている。これにより、ネクタイをしたクールビス、という新しい形のクールビスを提唱することができる。
【００２６】
本考案の衣料用補助具１０はＹシャツ２０に簡単に取り付け及び取り外すことができる。よって、衣料用補助具１０が必要な場合に素早く、Ｙシャツ２０に衣料用補助具１０を装着することができる。さらに、本考案の衣料用補助具１０は小さくて軽いので、携帯する際にも便利である。
【００２７】
Ｙシャツ２０の通気性（冷却性）を向上する衣料用補助具１０の本体１２はＹシャツ２０のボタン２２と補助ボタン１６との間に延びているように見えるので、本考案の衣料用補助具１０をクーリングボタンｔｏボタンと称することもできる。
【００２８】
尚、上記実施例においては、衣料用補助具１０をＹシャツの第２ボタン２２に取り付けるとしたが、本考案の使用はこれに限定されない。例えば、第１ボタンに衣料用補助具１０を取り付けてもよいし、第３ボタン２３その他のボタンに取り付けてもよい。また、２つ以上の衣料用補助具１０をＹシャツ２０に取り付けてもよい。例えば、１つ目の衣料用補助具１０を第２ボタン２２に取り付けて、さらに、２つ目の衣料用補助具１０を第３ボタン２３に取り付けてもよい。このように、２つの衣料用補助具１０をＹシャツ２０に取り付けると、１つの衣料用補助具１０のみが取り付けられた場合と比較して、Ｙシャツ２０内部の煙突効果が向上する。
【００２９】
また、上記実施例において本体１２の形状がストリップ状であるとしたが、本体１２の形状は円環状であってもよい。本体１２を円環状とした場合が図１１に示されている。本体１２が円環状であると、衣料用補助具１０をＹシャツ２０に取り付けたときに、本体１２の形状が図１１の形状から潰れる可能性が低くなる。つまり本体１２の剛性が増大するので、本体１２が形状記憶材料で作られていなくても、所定の隙間３２がＹシャツ２０の上前２８と下前３０の間に形成されると考えられる。もちろん、円環状の本体１２を形状記憶材料から作ってもよいし、本体１２を補強する材料を本体１２に含有させたり本体１２に付設してもよい。
【００３０】
上記実施例においては、衣料の例としてＹシャツ２０を用いて本考案の衣料用補助具の説明をしたが、本考案の衣料用補助具はＹシャツ以外の衣料（例えば、ジャケット）にも用いることができる。この場合、孔１４はジャケットのボタン孔と同じまたは類似の孔とされ、補助ボタン１６はジャケットのボタンと同じまたは類似のボタンとされる。
【００３１】
上記実施例においては、衣料用補助具１０はＹシャツ２０に取り外し自在であるとしたが、Ｙシャツ２０に衣料用補助具１０を縫い付けてもよい。
次に、本考案の他の実施例を説明する。
【００３２】
図８は本考案の第２実施例に係る衣料用補助具４０の上面図である。図８の構成は、図１の構成（第１実施例）と比較すると、本体１２に補助ボタンが２つ設けられている点が異なる。第１補助ボタン４２と第２補助ボタン４４が本体１２の長手方向に並んで設けられている。第１補助ボタン４２と孔１４との間の距離は、第２補助ボタン４４と孔１４との間の距離より小さい。その他の構成は第１実施例と同じであり、第１実施例と同じ符号を用いている。第１ボタン４２と第２ボタン４４は同じまたは類似の形状、色、材質で作られている。
【００３３】
図８の衣料用補助具４０は２つの補助ボタンを有するので、使用者の意思により、どちらか１つの補助ボタンを使用することになる。例えば、衣料用補助具４０によって大きな隙間をＹシャツ２０（図３）の上前２８と下前３０の間に形成したいならば、第２補助ボタン４４を使用する。それより小さな隙間を第２ボタン近傍に形成したいならば、第１補助ボタン４２を使用する。よって、使用者の意思によってＹシャツの通気性を調節することができる。
【００３４】
尚、本体１２に取り付けられる補助ボタンの数は２個に限定されず、３個以上でもよい。
【００３５】
図９は本考案の第３実施例に係る衣料用補助具５０を示している。
【００３６】
図９に示されているように、衣料用補助具５０は長いストリップ状の本体５２を有する。前記本体５２の一端（図９における左側端）近傍には第１孔５３が形成されている。第１孔５３はボタン孔である。第１孔５３は、衣料用補助具５０が使用される衣料（Ｙシャツ）に形成されているボタン孔と同じまたは類似の孔である。前記本体５２の他端（図中、右側端）近傍には第２孔５４が形成されている。第２孔５４もボタン孔である。
本体５２の第１孔５３から右側に所定距離（例えば、数ｃｍ程度）離れた位置に第１補助ボタン５６が設けられている。第１補助ボタン５６は本体５２に糸により縫い付けられている。第１補助ボタン５６は、衣料用補助具５０が使用されるＹシャツのボタンと同じまたは類似のボタンである。また、本体５２の第２孔５４から左側に所定距離離れた位置に第２補助ボタン５７が設けられている。第２補助ボタン５７も本体５２に糸により縫い付けられている。第２補助ボタン５６も、衣料用補助具５０が使用されるＹシャツのボタンと同じまたは類似のボタンである。第１補助ボタン５６と第２補助ボタン５７の間の距離は、例えば、Ｙシャツ２０（図３）の第２ボタン２２と第３ボタン２３の間の距離に等しい。
【００３７】
本体５２は可撓性を有する材質からなる。本体５２の色は、衣料用補助具５０が使用されるＹシャツの色と同じである。
【００３８】
図１０は図９の衣料用補助具５０がＹシャツ２０（図３）に装着された様子を示している。Ｙシャツ２０の第２ボタン２２に衣料用補助具５０の第１孔５３が係合し、Ｙシャツの第２ボタン孔２５に衣料用補助具５０の第１補助ボタン５６が係合し、Ｙシャツの第３ボタン２３に衣料用補助具５０の第２孔５４が係合し、Ｙシャツの第３ボタン孔２６に衣料用補助具５０の第２補助ボタン５７が係合している。尚、図１０は図６と同様な側面図であるので、共通部分には同じ参照符号を用いている。
【００３９】
衣料用補助具５０の本体５２はＹシャツ２０の上前２８に隠れるので、Ｙシャツ２０を着ている人を正面から見る人には、衣料用補助具５０は見えない。衣料用補助具５０はＣ字状を呈した状態でＹシャツ２０の上前２８と下前３０の間に位置する。第２ボタン２２は上前２８の下に位置するので、Ｙシャツを外からみると、第２ボタン２２は見えない。第３ボタン２３も上前２８の下に位置するので、Ｙシャツを外からみると、第３ボタン２３は見えない。衣料用補助具５０によって、上前２８と下前３０との間に空間（間隙）６２が形成される。
【００４０】
第１補助ボタン５６と第２ボタン２２は同じまたは類似のボタンであり（材質、色、形状が同じまたは類似）、第２補助ボタン５７と第３ボタン２３は同じまたは類似のボタンであるので、Ｙシャツ２０を着ている人を見た場合（ボタンを閉めた状態で）、衣料用補助具５０の存在はほとんど認識できない。
【００４１】
衣料用補助具５０の本体５２の材質は、Ｙシャツ２０の材質と同じでもよいし、異なってもよい。本体５２の材質がＹシャツ２０の材質と異なる場合、本体５２が図１０に示すようなＣ字形状を維持するために、本体５２は例えば、形状記憶が可能な材質から作られる。あるいは、強度のある素材（樹脂、繊維、ファイバ等）等を本体１２に予め含有させてもよいし、本体１２を当初からＣ字状の部材として製造してもよい。
本体５２の材質がＹシャツ２０の材質と同じ場合には、本体５２が図１０に示すようなＣ字形状を必ずしも呈するとは言えないが、Ｙシャツの素材や着方によっては、あるいは、Ｙシャツを着る人の体形によっては、図１０に示したような空間６２が上前２８と下前３０の間に形成される。Ｙシャツの素材にはいくらかの形状維持能力（強度と弾性）が本来的に備わっているので、ある程度の空隙６２がＹシャツの上前２８と下前３０の間に形成されると考えられる。
【００４２】
尚、上前２８と下前３０の間に所定の隙間が必ず形成されるようにするために、図７に示すような突起３６を本実施例の本体５２に設けてもよい。本実施例に突起３６を設ける場合、１つまたは２つの突起３６が本体５２に取り付けられる。また、本体５２を図１１のような円環状にしてもよい。その場合には、本体５２に突起３６を１つ、２つまたは３つ以上設けてもよい。
【００４３】
上記説明及び図面から分かるように、本考案の衣料用補助具５０をＹシャツ２０に装着してＹシャツ２０を着ると、第２ボタン２２近傍から第３ボタン２３近傍に亘って通気用の大きな隙間６２が形成されるので、Ｙシャツ２０の前面における通気性が格段に向上する。また、Yシャツ２０内部で煙突効果による空気流が発生することも期待できる。
Ｙシャツ２０の前面における通気性が向上すると、たとえ第１ボタン２１を閉めたとしても、Ｙシャツ２０を着ている人は清涼感を感ずることができる。Ｙシャツ２０を着てネクタイを付けた場合、第２ボタン２２及び第３ボタン２３近傍の膨らみはネクタイによって隠されるので、見た目の不自然さはない。これにより、ネクタイをしたクールビス、という新しい形のクールビスを提唱することもできる。
【００４４】
本考案の衣料用補助具５０はＹシャツ２０に簡単に取り付け及び取り外すことができる。また、本考案の衣料用補助具５０は小さくて軽いので、携帯する際にも便利である。
尚、上記実施例においては、衣料用補助具５０をＹシャツの第２ボタン２２及び第３ボタン２３に取り付けるとしたが、本考案の使用はこれに限定されない。例えば、第１ボタン２１及び第２ボタン２２に衣料用補助具５０を取り付けてもよいし、第３ボタン２３と第４ボタン２９に取り付けてもよい。また、２つ以上の衣料用補助具５０をＹシャツ２０に取り付けてもよい。例えば、１つ目の衣料用補助具５０を第１ボタン２１と第２ボタン２２に取り付けて、さらに、２つ目の衣料用補助具５０を第３ボタン２３と第４ボタン２９に取り付けてもよい。
【符号の説明】
【００４５】
１０、４０、５０  衣料用補助具
１２、５２  本体
１４  孔
１６  補助ボタン
２０  Ｙシャツ
２８  上前
３０  下前
３２、６２  空間（間隙）
３６  突起
４２、５６  第１補助ボタン
４４、５７  第２補助ボタン
５３  第１孔
５４  第２孔
【図１】
0003180262.tif 000003
【図２】
0003180262.tif 000004
【図３】
0003180262.tif 000005
【図４】
0003180262.tif 000006
【図５】
0003180262.tif 000007
【図６】
0003180262.tif 000008
【図７】
0003180262.tif 000009
【図８】
0003180262.tif 000010
【図９】
0003180262.tif 000011
【図１０】
0003180262.tif 000012
【図１１】
0003180262.tif 000013
【手続補正書】
【提出日】平成24年10月15日(2012.10.15)
【手続補正１】
【補正対象書類名】実用新案登録請求の範囲
【補正対象項目名】全文
【補正方法】変更
【補正の内容】
【実用新案登録請求の範囲】
【請求項１】
ボタン付衣料のボタンと当該ボタンに対応して形成されたボタン孔とに取り付けられる衣料用補助具であって、ストリップ形状を有する本体と、当該本体の一端近傍に形成されて当該衣料のボタンに係合する孔と、前記本体の他端近傍に設けられて前記ボタンと同じまたは類似の形状を有し且つ前記ボタン孔に係合する補助ボタンとからなることを特徴とする衣料用補助具。
【請求項２】
前記補助ボタンが前記本体に複数設けられていることを特徴とする請求項１記載の衣料用補助具。
【請求項３】
前記本体が形状記憶材料から作られていることを特徴とする請求項１または２記載の衣料用補助具。
【請求項４】
前記本体が円環状を呈していることを特徴とする請求項１、２または３記載の衣料用補助具。
【請求項５】
前記本体の前記孔と前記補助ボタンが設けられている位置以外の位置に、縦断面矩形状の突起物を設けたことを特徴とする請求項１〜４のいずれかに記載の衣料用補助具。
【請求項６】
前記複数の補助ボタン同士の間隔が前記ボタン付衣料の複数のボタン同士の間隔に等しいことを特徴とする請求項２、３、４または５記載の衣料用補助具。